(57)【要約】      （修正有）【課題】薬箱収納ケースを日常的に空気清浄機として使用してもらうとともに湿気による薬の劣化をできるだけ抑えることが可能な薬箱収納ケースを提供する。【解決手段】薬箱収納ケース１は、本体フレーム２の上面中央部に排気口３を有しており、左右両側面に吸気口４を有している。本体フレーム２内には、空気清浄装置及びファン装置が設置されており、ファン装置を回転させることで、吸気口４から外部の空気を流入させて空気清浄装置により清浄化して排気口３から外部に排出する。本体フレーム２の前面の左右両側部には、開閉扉５及び６が回動可能に取り付けられており、薬箱収納部の前面を覆うようになっている。薬箱収納部には、引き出し１０及び１１が装着されており、吸気口４から吸入された空気は引き出し１０内を通り抜けて流通する。【選択図】図４
0003113627.tif 000002
【実用新案登録請求の範囲】
【請求項１】
吸気口及び排気口を有する本体フレームと、前記本体フレームの吸気口に面して一体的に設けられた薬箱収納部と、前記吸気口から前記薬箱収納部内を通して外気を吸入し前記排気口から外部に排出するファン装置と、前記吸気口から吸入された空気を清浄化する空気清浄装置とを備えたことを特徴とする空気清浄機能付き薬箱収納ケース。
【請求項２】
前記薬箱収納部は、前記本体フレームの左右両側に配設されており、複数種類の薬箱を保管する引き出しを上下に複数配列していることを特徴とする請求項１に記載の空気清浄機能付き薬箱収納ケース。
【請求項３】
前記引き出しには、吸気口から吸入された空気を通す通気孔が形成されていることを特徴とする請求項２に記載の空気清浄機能付き薬箱収納ケース。
【請求項４】
前記引き出しには、薬箱のサイズに対応して内部を仕切る仕切り板を備えていることを特徴とする請求項２又は３に記載の空気清浄機能付き薬箱収納ケース。
【考案の詳細な説明】
【技術分野】
【０００１】
本考案は、薬箱や薬袋等を収納する薬箱収納ケースに関する。
【背景技術】
【０００２】
従来より病気や怪我の治療に用いる家庭用医薬を予め置き薬として保管することが行われており、保管用に薬箱収納ケースが用いられている。こうした薬箱収納ケースは、頻繁に使用されるものでないことから、戸棚の奥や押入れ等に片付けられてしまう場合が多い。しかしながら、このような場所は高湿度の環境になっているため期間保管されていると、湿気により薬が変質して薬効が劣化してしまい、病気等により処方が必要となった際に保管した薬が使用できない、といった課題があった。
【０００３】
こうした課題に対して、例えば、特許文献１では、電気石等のマイナスイオンを放出する無機物を配置薬箱又は薬箱に含ませることで、空気をクリーン化する機能を付加して日常的に居間、応接室、台所等に配置してもらうようにした点が記載されている。
【０００４】
また、空気清浄機において、他の機能を付加したものでは、例えば、特許文献２には、空気清浄機に芳香装置を取り付けた点が記載されており、特許文献３には、空気清浄機に収納部を配設した点が記載されている。
【特許文献１】登録実用新案第３１０４６１１号公報
【特許文献２】実開平０３−１１８７５０号公報
【特許文献３】特開２００４−２５７６６４号公報
【考案の開示】
【考案が解決しようとする課題】
【０００５】
特許文献１では、薬箱に他の機能を付加しているものの、外見上は従来のものと変わりがないためやはり戸棚の奥といった場所に片付けられてしまう可能性が強く、そうした場合には湿気による薬の劣化といった課題が生じてしまう。
【０００６】
そこで、本考案は、薬箱収納ケースを日常的に空気清浄機として使用してもらうとともに湿気による薬の劣化をできるだけ抑えることが可能な薬箱収納ケースを提供することを目的とするものである。
【課題を解決するための手段】
【０００７】
本考案に係る空気清浄機能付き薬箱収納ケースは、吸気口及び排気口を有する本体フレームと、前記本体フレームの吸気口に面して一体的に設けられた薬箱収納部と、前記吸気口から前記薬箱収納部内を通して外気を吸入し前記排気口から外部に排出するファン装置と、前記吸気口から吸入された空気を清浄化する空気清浄装置とを備えたことを特徴とする。さらに、前記薬箱収納部は、前記本体フレームの左右両側に配設されており、複数種類の薬箱を保管する引き出しを上下に複数配列していることを特徴とする。さらに、前記引き出しには、吸気口から吸入された空気を通す通気孔が形成されていることを特徴とする。さらに、前記引き出しには、薬箱のサイズに対応して内部を仕切る仕切り板を備えていることを特徴とする。
【考案の効果】
【０００８】
上記のような構成を有することで、ファン装置により吸気口から外部の空気を吸入して空気清浄装置で清浄化した後排気口から外部に排出するので、従来の空気清浄機と同様に日常的に使用してもらうことができ、戸棚の奥等に片付けられてしまうことがなくなる。そして、吸気口から薬箱収納部を通して外部の空気を常時吸入するので、薬箱収納部内の湿度が高くなることがなく、薬の劣化を招くことがない。また、薬特有のにおいについても空気清浄装置で消臭されて排出されるため、そうしたにおいが発散して不快になることもない。なお、本明細書では、薬箱とは、薬局等で市販されている箱入り又は袋入りの薬関連商品を意味している。
【０００９】
また、薬箱収納部を本体フレームの左右両側に配設し、複数種類の薬箱を保管する引き出しを上下に複数配列することで、デザイン上従来の薬箱収納ケースとは全く異なるものとなり、空気清浄機に近いものとなることから、従来の空気清浄機と同様に取り扱ってもらえるようになる。そして、引き出しを複数上下に配列することで、種類別に薬箱を整理して保管することができ、必要な薬箱をすぐ見つけ出して取り出すことができる。
【００１０】
そして、引き出しに吸気口から吸入された空気を通す通気孔を形成することで、薬箱収納部内の空気の流通が淀みなくスムーズに流れるようになり、湿気が溜まることなく薬が劣化することのない好ましい状態が維持できる。また、引き出しに薬箱のサイズに対応して内部を仕切る仕切り板を設けることで、様々なサイズの薬箱を整理して収納することができ、より使い勝手のよいものとすることができる。
【考案を実施するための最良の形態】
【００１１】
以下、本考案を添付図面に示す実施形態に基づいて詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１２】
図１は、本考案に係る実施形態に関する外観斜視図を示しており、図２及び図３は、その正面図及び側面図をそれぞれ示している。薬箱収納ケース１は、直方体状の本体フレーム２の上面中央部に排気口３を有しており、左右両側面に吸気口４を有している。排気口３は、スリット状の細い開口が左右方向に複数形成されており、内部から外部に向けて空気が排出される。吸気口４は、上下方向に短い長さの複数のスリットが配列されており、後述する引き出しの通気孔に対応して形成されている。
【００１３】
本体フレーム２の前面の左右両側部には、開閉扉５及び６が回動可能に取り付けられており、本体フレーム２の左右両側に設けられた薬箱収納部の前面を覆うようになっている。本体フレーム２の前面中央部には、液晶表示部７が取り付けられており、その下方には非常用ランプ８が取り付けられている。そして、本体フレーム２の底面には、支持台９が固定されている。
【００１４】
図４は、左右の開閉扉５及び６を開いた状態を示す外観斜視図である。開閉扉５及び６は、中央寄りの側面に上下一対の蝶番により開閉可能に本体フレーム２に取り付けられており、閉鎖時には図示せぬ係止具により閉鎖状態を保持するようになっている。左右両側の薬箱収納部には、５つの引き出し１０ａ〜ｃ及び１１ａ、１１ｂが上下方向に配列されて収容されている。これらの引き出しは、内部に水平に固定された棚板上を前後方向にスライド可能となっている。なお、図４では、右側の薬箱収納部の構成を明示しているが、左側の薬箱収納部においても同様の構成となっている。各引き出しの前面には、収納する薬の種類を表示するようにするとよい。例えば、「風邪薬」、「胃腸薬」、「塗り薬」、「目薬」、「貼り薬」、「傷薬」といったように表示したラベルを設ければ、必要な薬を容易に探し出すことが可能となる。
【００１５】
液晶表示部７は、液晶表示パネルと複数の操作キーを備えており、収納する薬に関する情報を記憶している。そして、液晶表示パネルに表示された選択画面に従って、例えば病状の項目を選択操作することで、選択された病状に適する薬のリストが表示されるようになる。こうした薬に関する情報は、画面表示を行うとともにスピーカ等から音声で報知するようにしてもよい。また、操作キーの代わりに液晶表示パネルをタッチパネルとして用いることもできる。
【００１６】
また、液晶表示部７にはカレンダー及び時刻を表示する機能を持たせることもできる。さらに、温度センサや湿度センサを付加することで、気温や湿度といった室内環境の状態を表示する機能を持たせてもよい。
【００１７】
非常用ランプ８は、地震や水害等で停電になった場合にランプが点灯するようになっており、暗闇の中でも点灯したランプによりその所在が簡単に認識できるようになる。そのため、最も薬が必要となる非常時において薬箱収納ケースを簡単に探し出すことができる。非常用ランプ８の点灯は、例えば、薬箱収納ケース１が所定角度以上傾いた場合に転動する金属球を内蔵しておき、金属球の転動によって点灯用のスイッチがオンするように設定しておくとよい。
【００１８】
図５及び図６は、それぞれ引き出し１０ａに関する外観斜視図及び上面図を示している。なお、引き出し１０ｂ及び１０ｃについても引き出し１０ａと同様の構成を有している。引き出し１０ａは、一対の側面板１０１ａ及び１０１ｂ、後面板１０２並びに底面板１０３が一体形成されており、前面には、矩形状の透明パネル１０４が両側面板の内面に形成された差込み溝１０５に着脱可能に挿着されている。透明パネル１０４の下端は、底面板１０３との間に１個の薬箱が取り出せる程度の間隔が空くように設定されており、底面板１０３の前端部は、両角部が削られて取っ手として兼用される。
【００１９】
引き出し１０ａの内部には、仕切り体１０６が装着されており、仕切り体１０６は、両側板の内面に形成された差込み溝１０７に着脱可能に装着される支持板１０６ａ、支持板１０６ａの一方の面上に垂直に固定された仕切りブロック１０６ｂ及び１０６ｃからなる。図７の分解斜視図に示すように、仕切りブロック１０６ｂ及び１０６ｃは、支持板１０６ａに対してネジ１０６ｄにより固定されている。そして、支持板１０６ａのネジ穴が左右方向に細長く形成されており、仕切りブロック１０６ｂ及び１０６ｃが薬箱のサイズに合せて左右に移動可能となっている。また、支持板１０６ａの下部の中央部分１０６ｅは前面側に斜めに折れ曲がるように形成されている。
【００２０】
引き出し１０ａには、両側面板１０１ａ及び１０１ｂの中央部分にスリット状の２つの通気孔１０８ａ及び１０８ｂが穿設されている。また、仕切りブロック１０６ｂ及び１０６ｃの中央部分にも１つの通気孔１０９が穿設されており、側面板１０１ａの通気孔から流入した空気は、仕切りブロック１０６ｃ、１０６ｂ及び側面板１０１ｂの通気孔を通り抜けて流れるようになる。
【００２１】
底面板１０３の後部には、矩形状の係止穴１１０が穿設されている。また、差込み溝１０５は、前後方向に２対形成されており、薬箱のサイズに合わせて透明パネル１０４の差込み位置が変更できるようになっている。さらに、差込み溝１０５の長さが前後方向で異なるように設定されており、前側の差込み溝では底面板１０３との間の間隔が大きくなるようにされている。差込み溝１０７についても前後方向に３対の溝が形成されており、薬箱のサイズに合せて仕切り体１０６の支持板１０６ａの差込み位置が変更できるようになっている。
【００２２】
図８は、引き出し１０ａが薬箱収納部に装着された状態での前後方向に切断した断面図である。引き出し１０ａは、本体フレーム２の棚板１２上をスライドさせて後面板１０２から挿入していくと、棚板１２の上面に突設された係止突起１２ａに突き当たる。係止突起１２ａは、前面側が傾斜するように形成され後面側が垂直に切り立つように形成されている。そのため、引き出し１０ａは係止突起１２ａの傾斜面に乗り上げていくようになり、係止穴１１０が係止突起１２ａに嵌合するまで引き出し１０ａが挿入される。そして、係止穴１１０が係止突起１２ａに嵌合して引き出し１０ａが元の姿勢に戻ることで、利用者は装着が完了したことがわかる。また、係止穴１１０が係止突起１２ａに嵌合することで、引き出し１０ａの抜け落ち防止となる。引き出し１０ａを引き出す際には底面板１０３の前端部を把持して引き出し１０ａの後端部を持ち上げるように傾けてから引き出すようにすればよい。
【００２３】
図９は、引き出し１０ａ内に複数の薬箱Ｍを積載して収容した状態を示す断面図である。薬箱Ｍのサイズに合せて透明パネル１０４及び仕切り体１０６の差込み位置が調整されており、薬箱Ｍは上下方向に整列して収容されている。そして、一番下に位置する薬箱Ｍは、支持板１０６ａの下部に折れ曲がり形成された中央部分１０６ｅにより前方向に押し出されるようになり、薬箱Ｍの前部が透明パネル１０４と底面板１０３との間の間隙から突出する。したがって、薬箱Ｍの突出した前部を把持して引き出せば薬箱Ｍを取ることができ、引き出し１０ａをいちいち引き出す必要がなくなる。また、薬箱Ｍを補充する際には、上方から薬箱Ｍを入れていけばよく簡単に補充が行える。このように薬箱Ｍを上方から補充して下から順に使用するようにすれば、製造年月日順に使用されて古くなった薬箱がいつまでも使用されずに残ることがなくなる。
【００２４】
図１０は、引き出し１１ａに関する外観斜視図を示している。引き出し１１ａは、側面板１１１ａ及び１１１ｂ、後面板１１１ｃ、前面板１１１ｄ並びに底面板（図示せず）が一体形成されて直方体状に構成されている。両側面板の内面には、前後方向にわたって差込み溝が複数形成されており、差込み溝には仕切りパネル１１２が装着されている。仕切りパネル１１２は、収容する薬箱のサイズに合せて適宜差込み位置を変更すればよく、また必要に応じて複数の仕切りパネル１１２を用いてもよい。前面板１１１ｄの上部には、把持部１１１ｅが設けられており、把持部１１１ｅを手で掴んで引き出し１１ａを前後にスライドして移動させることができる。なお、引き出し１１ｂについても引き出し１１ａと同様の構成を備えている。引き出し１１ａには、袋状のものや細長い箱状のものを収容するのに好適である。
【００２５】
図１１は、図２におけるＡ−Ａ断面図を示している。左右両側面に形成された吸気口４と引き出し１０ａの側面板１０１ａに形成された通気孔１０８ａ及び１０８ｂは、引き出し１０ａが装着された状態でほぼ対向するように設定されている。そのため、吸気口４から吸入された外部の空気は、通気孔１０８ａ及び１０８ｂを通って引き出し１０ａの内部に流入する。そして、仕切り体１０６に形成された通気孔１０９を通り、側面板１０１ｂの通気孔１０８ａ及び１０８ｂを通って引き出し１０ａを通り抜ける。引き出し１０ａを通り抜けた空気は、本体フレーム２の内部を仕切る一対の仕切り壁部１３に穿設された通気孔１４から仕切り壁部１３の間の密閉空間内に流入する。
【００２６】
仕切り壁部１３によって仕切られた密閉空間内は、さらに、左右方向に沿って配置された支持板部１５によって前後方向に仕切られており、支持板部１５の後面側のほぼ中央部にはファン装置１６が設置固定されている。そして、ファン装置１６の設置位置の周囲には、支持板部１５に通気孔１７が穿設されており、ファン装置１６の回転により支持板部１５の前面側から通気孔１７を通って後面側に空気が流通するようになる。ファン装置１６により後面側に流入した空気は、本体フレーム２の上面に設けられた排気口３から外部に排出される。
【００２７】
支持板部１５により仕切られた前側の空間内には、仕切り壁部１３と平行に一対の支持板部１８が設けられており、支持板部１８の中央部には空気清浄装置１９が設置固定されている。空気清浄装置１９は公知のもので、例えば放電ワイヤにより空気に含まれる塵芥を帯電させて集塵したり、オゾンを発生させて殺菌効果や消臭効果を持たせるとよい。さらに、空気清浄装置１９には、除湿機能を備えるようにしてもかまわない。また、ファン装置１６の周囲に形成された通気孔１７を覆うようにフィルタ２０が取り付けられており、空気中の塵芥がフィルタ２０により捕集される。
【００２８】
以上のような構成で、ファン装置１６が回転すると、吸気口４から空気が吸入されて引き出し１０ａを通り抜け、通気孔１４から流入する。そして、流入した空気は、まず空気清浄装置１９を通ることで清浄化され、さらにフィルタ２０を通り抜けて通気孔１７から支持板部１５の後側に流通して上方の排気口３から外部に排出されるようになる。
【００２９】
なお、吸気口４から吸入する際に空気の塵芥が多い場合には、吸気口４に粗目のフィルタを取り付けて引き出し１０ａ内に塵芥が流入しないようにしてもよい。また、薬箱収納部のレイアウトは、吸気口に面していればよく、左右両側に限定されることはなく、引き出しに形成された通気孔についても引き出し内に吸気口から吸入された空気が十分流通する場合には設けなくてもかまわない。
【図面の簡単な説明】
【００３０】
【図１】本考案に係る実施形態に関する外観斜視図である。
【図２】本考案に係る実施形態に関する正面図である。
【図３】本考案に係る実施形態に関する側面図である。
【図４】左右の開閉扉を開いた状態を示す外観斜視図である。
【図５】引き出しに関する外観斜視図である。
【図６】引き出しに関する上面図である。
【図７】引き出し内の仕切り体に関する分解斜視図である。
【図８】引き出しを装着した状態における断面図である。
【図９】薬箱を積載した状態を示す断面図である。
【図１０】別の引き出しに関する外観斜視図である。
【図１１】図２におけるＡ−Ａ断面図である。
【符号の説明】
【００３１】
１    薬箱収納ケース
２    本体フレーム
３    排気口
４    吸気口
５    開閉扉
６    開閉扉
７    液晶表示部
８    非常用ランプ
９    支持台
10    引き出し
11    引き出し
12    棚板
13    仕切り壁部
14    通気孔
15    支持板部
16    ファン装置
17    通気孔
18    支持板部
19    空気清浄装置
20    フィルタ
104   透明パネル
106   仕切り体
108   通気孔
109   通気孔
【図１】
0003113627.tif 000003
【図２】
0003113627.tif 000004
【図３】
0003113627.tif 000005
【図４】
0003113627.tif 000006
【図５】
0003113627.tif 000007
【図６】
0003113627.tif 000008
【図７】
0003113627.tif 000009
【図８】
0003113627.tif 000010
【図９】
0003113627.tif 000011
【図１０】
0003113627.tif 000012
【図１１】
0003113627.tif 000013